(57)【要約】【課題】本発明は、毛皮に模様が形成されたり毛皮の光沢が変化すると共に小さい毛皮片を有効利用することができる毛皮製カフスを提供する。【解決手段】本発明に係る毛皮製カフス１０は円弧状のカフス本体部１２と円弧状のカフス伸縮部１４により円筒状に形成されている。毛皮製カフス１０には手を挿入できる手挿入部１６が貫通形成されている。前記カフス本体部１２を構成する毛皮片継ぎ合わせシート体２０は、小さい毛皮片２２を継ぎ合わせてシート状に形成されている。毛皮片継ぎ合わせシート体２０の裏面には裏地シート体２４が張り付けられた状態で設けられている。前記カフス伸縮部１４は伸縮可能な伸縮ネット２６の網目２８に長尺状の帯状毛皮３０を多数編み込むことにより毛皮シート状に形成されている。【選択図】図１
2016106815.tif 000002
【特許請求の範囲】
【請求項１】
円筒状の毛皮製カフスであって、
この毛皮製カフスを構成する円弧状のカフス本体部と、このカフス本体部の一端部とカフス本体部の他端部との間に設けられて前記カフス本体部と共に前記毛皮製カフスを構成する円弧状のカフス伸縮部と、前記毛皮製カフスに貫通形成された手挿入部と、前記カフス本体部を構成すると共に複数の毛皮片を継ぎ合わせて形成された毛皮片継ぎ合わせシート体と、前記カフス伸縮部を構成する伸縮可能な伸縮ネットと、この伸縮ネットと共に前記カフス伸縮部を構成すると共に前記伸縮ネットに編み込まれた帯状毛皮と、を有してなることを特徴とする毛皮製カフス。
【請求項２】
前記カフス本体部の円周方向長さを毛皮製カフスの円周方向長さの８０〜９０％にしたことを特徴とする請求項１記載の毛皮製カフス。
【請求項３】
前記毛皮片継ぎ合わせシート体を構成する前記毛皮片を切り落とした毛皮で形成したことを特徴とする請求項１記載、請求項２のいずれか１項に記載された毛皮製カフス。
【請求項４】
前記毛皮継ぎ合わせシート体の裏面に裏地シート体を設けたことを特徴とする請求項１、請求項２、請求項３のいずれか１項に記載された毛皮製カフス。
【発明の詳細な説明】
【技術分野】
【０００１】
本発明は、手首等に装着してファッション性を高めることができるファッションアクセサリーとしての毛皮製カフスに関する。
【背景技術】
【０００２】
従来から手首等に装着してファッション性を高めたりするファッションアクセサリーとして毛皮で製造された毛皮製カフスが提案されている（特許文献１）。
しかし、この毛皮製カフスは長尺状の一枚の毛皮で形成されているため毛皮の模様や光沢が同一で変化がほとんどなく視覚的に単調になってしまう。
また、前記毛皮製カフスはワンタッチで手首に装着することができるが、毛皮製カフスの一端部と他端部が分離されていると共に一端部と他端部が重なり合うようになっているので、フィットして装着することができ難くなる。
また、前記毛皮製カフスは外側面と内側面の両面に毛皮が配設されるために、特に新しい毛皮製カフスを手首に装着すると内側面の毛皮から抜けた毛が多数手首等に付いてしまうという不具合がある。
【先行技術文献】
【特許文献】
【０００３】
【特許文献１】実用新案登録第３０９１２６１号公報
【発明の概要】
【発明が解決しようとする課題】
【０００４】
本発明は、上記事実に鑑みなされたものであり、毛皮に模様が形成されたり毛皮の光沢が変化すると共に小さい毛皮片を有効利用することができる毛皮製カフスを提供するものである。
【課題を解決するための手段】
【０００５】
請求項１の発明は、円筒状の毛皮製カフスであって、
この毛皮製カフスを構成する円弧状のカフス本体部と、このカフス本体部の一端部とカフス本体部の他端部との間に設けられて前記カフス本体部と共に前記毛皮製カフスを構成する円弧状のカフス伸縮部と、前記毛皮製カフスに貫通形成された手挿入部と、前記カフス本体部を構成すると共に複数の毛皮片を継ぎ合わせて形成された毛皮片継ぎ合わせシート体と、前記カフス伸縮部を構成する伸縮可能な伸縮ネットと、この伸縮ネットと共に前記カフス伸縮部を構成すると共に前記伸縮ネットに編み込まれた帯状毛皮と、を有してなることを特徴としている。
請求項２の発明は、前記カフス本体部の円周方向長さを毛皮製カフスの円周方向長さの８０〜９０％にしたことを特徴としている。
請求項３の発明は、前記毛皮片継ぎ合わせシート体を構成する前記毛皮片を切り落とした毛皮で形成したことを特徴としている。
請求項４の発明は、前記毛皮継ぎ合わせシート体の裏面に裏地シート体を設けたことを特徴としている。
【発明の効果】
【０００６】
本発明の毛皮製カフスは、複数の毛皮片を継ぎ合わせて形成したため毛皮製カフスに模様が形成されたり毛皮の光沢等が変化して毛皮製カフスの外観が変化に富み外観品質が向上するという優れた効果を有する。
本発明の毛皮製カフスは、手首等に付く毛皮の毛の数を少なくすることができるという優れた効果を有する。
本発明の毛皮製カフスは、フィットした状態で手首等に装着することができるという優れた効果を有する。
本発明の毛皮製カフスは、毛皮加工段階等で切り落とされた切り落とし部分の毛皮片を使用できるので、従来廃棄処分にされていた切り落とし部分の毛皮片を無駄なく有効利用することができるという優れた効果を有する。
本発明の毛皮製カフスは、従来使用用途が少なかった小さい毛皮片を多数枚逢着等で継ぎ合わせて形成してなる毛皮片継ぎ合わせシート体を使用することができ、小さい毛皮片を多数枚継ぎ合わせて形成した毛皮片継ぎ合わせシート体の使用用途を広げることができるという優れた効果を有する。
【図面の簡単な説明】
【０００７】
【図１】実施例の毛皮製カフスの全体斜視図である。
【図２】実施例の毛皮製カフスを図１と別の角度から見た全体斜視図である。
【図３】実施例の毛皮製カフスの毛皮片継ぎ合わせシート体の平面図である。
【図４】実施例の毛皮製カフスの毛皮片継ぎ合わせシート体の裏面図である。
【図５】実施例の毛皮製カフスのカフス本体部の裏面図である。
【図６】実施例の毛皮製カフスのカフス伸縮部の斜視図である。
【図７】実施例の毛皮製カフスのカフス伸縮部の伸縮ネットと帯状毛皮の平面図である。
【図８】実施例の毛皮製カフスを手首に装着した状態の斜視図である。
【図９】毛皮製カフスの他の例を示す毛皮片継ぎ合わせシート体の裏面図である。
【発明を実施するための形態】
【０００８】
発明を実施するために最良の形態の例として以下のような実施例を示す。
【実施例１】
【０００９】
図１〜図８には本発明に係る毛皮製カフスの一実施例が示されている。
図１及び図２に示されるように、本発明に係る毛皮製カフス１０は円筒状に形成されている。
【００１０】
図１に示されるように、この毛皮製カフス１０は毛皮製カフス１０の円周方向長さの約８５％を占める円弧状のカフス本体部１２と、毛皮製カフス１０の円周方向長さの約１５％を占める円弧状のカフス伸縮部１４により円筒状に形成されている。
【００１１】
図１及び図２に示されるように、前記毛皮製カフス１０には手を挿入できる手挿入部１６が貫通形成されている。
【００１２】
図３及び図４に示されるように、前記カフス本体部１２を構成する毛皮片継ぎ合わせシート体２０は、同じ色合いの毛２１を有する小さい毛皮片２２を５枚縫着して継ぎ合わせてシート状に形成されている。なお、この実施例では毛皮片２２として小さく切り落とされた天然毛皮であって毛皮の頭部対応毛皮片や脚部対応毛皮片が使用されている。
【００１３】
従って、同じ色合いの毛２１の毛皮片２２を５枚継ぎ合わせてシート状に形成したので、図３に示されるようにカフス本体部１２の表面には穏やかな模様が形成されている。
【００１４】
図５に示されるように、前記毛皮片継ぎ合わせシート体２０の裏面にはシート状の布で形成された裏地シート体２４が張り合わされた状態で縫着されている。これにより、毛皮片継ぎ合わせシート体２０の裏面をカバーすると共に手首等に直接毛皮片２２の裏面が当接しないようになっている。
【００１５】
図６に示されるように、前記カフス伸縮部１４は図面左右方向（図６矢印方向）に伸縮可能な伸縮ネット２６の網目２８に長尺状の帯状毛皮３０（図７参照）を多数編み込むことにより毛皮シート状に形成されている。この実施例では前記帯状毛皮３０は天然の毛皮を幅５ｍｍで長尺状に裁断して形成されている。
【００１６】
図１に示されるように、前記カフス伸縮部１４の一端部１４Ａは前記カフス本体部１２の一端部１２Ａと縫着され、前記カフス伸縮部１４の他端部１４Ｂは前記カフス本体部１２の他端部１２Ｂと縫着されている。
【００１７】
これにより、図１及び図２に示されるように、カフス本体部１２とカフス伸縮部１４は円弧状になり、毛皮製カフス１０は円筒状に形成されている。
【００１８】
次に第１実施例の毛皮製カフス１０の作用を説明する。
実施例の毛皮製カフス１０を手首に装着する場合は掌を毛皮製カフス１０の手挿入部１６に挿入することにより、図８に示されるように毛皮製カフス１０を手首に装着することができる。
【００１９】
この毛皮製カフス１０にはカフス伸縮部１４が設けられているので、毛皮製カフス１０が伸びるため容易に掌を手挿入部１６に挿入することができると共に手首に装着するとカフス伸縮部１４が縮むためフィットした状態で毛皮製カフス１０を手首に装着することができる。
【００２０】
前記毛皮製カフス１０のカフス本体部１２の毛皮片継ぎ合わせシート体２０は、切り落とされた５数の毛皮片２２で形成されているため、カフス本体１２の表面には５枚の毛皮片２２によって形成された模様が表れたり毛皮の光沢等が変化する等してカフス本体部１２の外観が変化して外観上単調になるのを防いでいる。
【００２１】
また、毛皮製カフス１０の外観品質が向上することにより、需要者に購買意欲を喚起させることができる。
【００２２】
前記毛皮製カフス１０の約８５％を占めるカフス本体部１２の内側面は裏地シート体２４が設けられているので、毛皮製カフス１０を手首に装着した場合に毛皮片２２の毛２１が直接手首に当接しにくいため、毛皮片２２から抜けた毛２１が手首に付く数を少なくすることができる。特に、新品の毛皮製カフス１０においては毛皮片２２の毛２１は抜け易いため、毛２１が手首に付くのをより少なくすることができる。
【００２３】
また、毛皮製カフス１０の大部分を占めるカフス本体部１２の毛皮片継ぎ合わせシート体２０は従来廃棄処分される場合が多かった頭部対応毛皮片や脚部対応毛皮片等の切り落とされた毛皮片２２を使用している。
【００２４】
この結果、これら頭部対応毛皮片や脚部対応毛皮片等の切り落とされた毛皮片２２を有効利用できると共に資源の有効利用を図ることができる。
【００２５】
なお、上記実施例ではカフス本体部１２の毛皮片継ぎ合わせシート体２０を５枚の毛皮片２２を継ぎ合わせて形成したが、毛皮片継ぎ合わせシート体２０を形成する毛皮片２２の枚数は５枚限定されるものでなく、図９に示されるように、より小さい毛皮片２２を多数枚逢着等で継ぎ合わせて毛皮片継ぎ合わせシート体２０を形成してもよいことは勿論である。
従って、従来、使用用途が少なかった小さい毛皮片を多数枚逢着等で継ぎ合わせて形成してなる毛皮片継ぎ合わせシート体を使用することができ、小さい毛皮片を多数枚継ぎ合わせて形成した毛皮片継ぎ合わせシート体の使用用途を広げることができる。
【００２６】
図５に示される毛皮片２２に比べて更に小さい毛皮片２２を継ぎ合わせて毛皮片継ぎ合わせシート体２０を形成することにより、より廃棄され易い小さい毛皮片２２を有効利用することができる。
【００２７】
なお、実施例では同じ色合いの毛２１の毛皮片２２を継ぎ合わせてカフス本体部１２の表面に穏やかな模様を形成したが、毛皮片２２の毛２１の色が大きく異なる毛皮片２２を５枚継ぎ合わせて毛皮片継ぎ合わせシート体２０を形成してカラフルな模様の毛皮製カフス１０を製造してもよい。
【００２８】
なお、実施例の毛皮製カフス１０は天然毛皮で製造したが、天然毛皮に限定されるものではなく人工毛皮で毛皮製カフスを製造してもよいことは勿論である。
【００２９】
また、実施例では切り落とした毛皮片２２を使用したが、切り落とした毛皮片２２以外の毛皮を使用して毛皮製カフスを製造してもよいことは勿論である。
【００３０】
なお、実施例ではカフス本体部１２の円周方向長さを毛皮製カフス１０の円周方向長さの約８５％、カフス伸縮部１４の円周方向長さを毛皮製カフス１０の円周方向長さの約１５％、に設定したが、カフス本体部１２とカフス伸縮部１４の円周方向長さはこれに限定されるものでない。
但し、一般的にはカフス本体部１２の円周方向長さは毛皮製カフス１０の円周方向長さの約８０〜約９０％が好ましい。
【産業上の利用可能性】
【００３１】
本発明の毛皮製カフスは、直接手首に装着する場合だけでなく、上着を着て上着の袖口に装着しても使用することができる。
【符号の説明】
【００３２】
１０    毛皮製カフス
１２    カフス本体部
１４    カフス伸縮部
１６    手挿入部
２０    毛皮片継ぎ合わせシート体
２１    毛
２２    毛皮片
２４    裏地シート体
２６    伸縮ネット
２８    網目
３０    帯状毛皮
【図１】
2016106815.tif 000003
【図２】
2016106815.tif 000004
【図３】
2016106815.tif 000005
【図４】
2016106815.tif 000006
【図５】
2016106815.tif 000007
【図６】
2016106815.tif 000008
【図７】
2016106815.tif 000009
【図８】
2016106815.tif 000010
【図９】
2016106815.tif 000011